(57)【特許請求の範囲】
【請求項１】
基材層、接着材料層及びポイントマーキング線層を備えた文字ポイントマーキング線を有する貼付材であって、
前記基材層は、光透過性の色を有し、第１の表面及び第２の表面を有し、
前記接着材料層は、光透過性を備える上、２つの表面を有し、２つの表面のうちの一方の表面は、前記基材層の前記第２の表面と接触され、
前記ポイントマーキング線層は、前記基材層と前記接着材料層との間に形成されるとともに、前記基材層の縁部に近接した箇所に位置し、前記縁部との間隔が保持され、
前記基材層の第１の表面に、引き剥がし可能な頂層を結合し、
前記基材層は１５ｍｍよりも小さい幅を有し、
前記ポイントマーキング線層と前記基材層の縁部との間隔は７ｍｍより小さく、
前記ポイントマーキング線層は、５ｍｍより小さい幅を有することを特徴とする、
文字ポイントマーキング線を有する貼付材。
【請求項２】
基材層、接着材料層及びポイントマーキング線層を備えた文字ポイントマーキング線を有する貼付材であって、
前記基材層は、光透過性の色を有し、第１の表面及び第２の表面を有し、
前記接着材料層は、光透過性を備える上、２つの表面を有し、２つの表面のうちの一方の表面は、前記基材層の前記第２の表面と接触され、
前記ポイントマーキング線層は、前記基礎材層の前記接着材料層が結合されていない他方の表面に形成され、前記基材層の縁部に近接した箇所に位置し、前記縁部との間隔が保持され、
前記基材層の第１の表面に、引き剥がし可能な頂層を結合し、
前記基材層は１５ｍｍよりも小さい幅を有し、
前記ポイントマーキング線層と前記基材層の縁部との間隔は７ｍｍより小さく、
前記ポイントマーキング線層は、５ｍｍより小さい幅を有することを特徴とする、
文字ポイントマーキング線を有する貼付材。
【請求項３】
前記ポイントマーキング線層は、実線、点線、鎖線又は波線の形状を有することを特徴とする請求項１または２に記載の文字ポイントマーキング線を有する貼付材。
【発明の詳細な説明】
【技術分野】
【０００１】
本発明は、貼付材に関し、特に、文字ポイントマーキング線を有する貼付材に関する。
【背景技術】
【０００２】
書籍又は紙に書かれた文字の重要な部分を蛍光ペンで塗ったり下線を引いたりすると、利用者が後日、重要な部分を復習するのに役立つ。しかし、従来の方式で重要な部分をマーキングした場合、書籍又は紙が汚れてしまう虞がある上、マーキングする箇所を間違えた場合、修正テープを貼るか修正液を塗って修正することもできるが、書籍又は紙全体が汚れてしまうため、従来のマーキング方式は理想的ではなかった。
【０００３】
上述の欠点を改善するために、現在市販されている各種付箋紙又は蛍光色タイプの付箋紙は、１枚のフィルムを剥して所望の箇所へ繰り返して貼り付け、利用者は様々なラベリングにより重要な箇所をマーキングすることができる。このような付箋紙又は蛍光色タイプの付箋紙を１枚のフィルムを剥して所望の箇所へ貼り付けると、見る者の注意を引き付けることができる。
しかし使用する際の大きな欠点としては、このような付箋紙又は蛍光色タイプの付箋紙には、貼付け箇所がポイントマーキング機能を備えていないため、一般の従来の付箋紙又は蛍光色タイプの付箋紙をポイントマーキングに用いることが困難であった。
【０００４】
そのため、貼付け機能を有するとともに、ポイントマーキング機能を備えた付箋紙が求められていた。
【発明の概要】
【発明が解決しようとする課題】
【０００５】
本発明の目的は、文字コンテンツを有するオブジェクトの表面に貼付け、ポイントマーキングを行う、文字ポイントマーキング線を有する貼付材を提供することにある。
【課題を解決するための手段】
【０００６】
上記課題を解決するために、本発明の第１の形態によれば、基材層、接着材料層及びポイントマーキング線層を備えた文字ポイントマーキング線を有する貼付材であって、前記基材層は、光透過性を備え、第１の表面及び第２の表面を有し、前記接着材料層は、光透過性を備える上、２つの表面を有し、２つの表面のうちの一方の表面は、前記基材層の前記第２の表面と接触され、前記ポイントマーキング線層は、前記基材層と前記接着材料層との間に形成されるとともに、前記基材層の縁部に近接した箇所に位置し、前記縁部との間隔が保持され、前記基材層の第１の表面に、引き剥がし可能な頂層を結合することを特徴とする文字ポイントマーキング線を有する貼付材が提供される。
【０００７】
上記課題を解決するために、本発明の第２の形態によれば、基材層、接着材料層及びポイントマーキング線層を備えた文字ポイントマーキング線を有する貼付材であって、前記基材層は、光透過性を備え、第１の表面及び第２の表面を有し、前記接着材料層は、光透過性を備える上、２つの表面を有し、２つの表面のうちの一方の表面は、前記基材層の前記第２の表面と接触され、前記ポイントマーキング線層は、前記接着材料層が結合されていない他方の表面に形成され、前記基材層の縁部に近接した箇所に位置し、前記縁部との間隔が保持され、前記基材層の第１の表面に、引き剥がし可能な頂層を結合することを特徴とする文字ポイントマーキング線を有する貼付材が提供される。
【０００８】
前記ポイントマーキング線層と前記基材層の縁部との間隔は７ｍｍより小さいことが好ましい。
【０００９】
前記ポイントマーキング線層は、実線、点線、鎖線又は波線の形状を有することが好ましい。
【００１０】
前記ポイントマーキング線層は、５ｍｍより小さい幅を有することが好ましい。
【００１１】
前記基材層は光透過性の色を有することが好ましい。
【図面の簡単な説明】
【００１２】
【図１】本発明の一実施形態に係る文字ポイントマーキング線を有する貼付材を示す平面図である。
【図２】本発明の一実施形態に係る文字ポイントマーキング線を有する貼付材を示す断面図である。
【図３Ａ】本発明の一実施形態に係る文字ポイントマーキング線を有する貼付材の応用を示す斜視図である。
【図３Ｂ】本発明の一実施形態に係る文字ポイントマーキング線を有する貼付材の応用を示す斜視図である。
【図４】本発明の他の実施形態に係る文字ポイントマーキング線を有する貼付材を示す断面図である。
【図５】本発明の他の実施形態に係る文字ポイントマーキング線を有する貼付材を示す説明図である。
【図６】本発明の一実施形態に係る文字ポイントマーキング線を有する貼付材のもう一つのポイントマーキング線の形状を示す説明図である。
【図７】本発明の一実施形態に係る文字ポイントマーキング線を有する貼付材のもう一つのポイントマーキング線の形状を示す説明図である。
【図８】本発明の一実施形態に係る文字ポイントマーキング線を有する貼付材のもう一つのポイントマーキング線の形状を示す説明図である。
【図９】本発明の他の実施形態に係る文字ポイントマーキング線を有する貼付材の構造を示す説明図である。
【図１０】第１実施形態に係る文字ポイントマーキング線を有する貼付材を示す説明図である。
【図１１】第２実施形態に係る文字ポイントマーキング線を有する貼付材を示す説明図である。
【発明を実施するための形態】
【００１３】
以下では本発明に係る実施形態及び／又は実施方式を開示し、以下の実施形態の説明で開示する具体的な構成要素又は構造は、当業者であれば本発明の技術内容を理解した後、実施することが可能であり、その他等価の要素又は構造を交換したものも本発明の技術範囲に含まれる。
【００１４】
以下、本発明の実施形態について図に基づいて説明する。なお、これによって本発明が限定されるものではない。
【００１５】
図１及び図２を参照する。図１は、本発明の一実施形態に係る文字ポイントマーキング線を有する貼付材を示す平面図である。図２は、本発明の一実施形態に係る文字ポイントマーキング線を有する貼付材を示す断面図である。
図１及び図２に示すように、本発明の一実施形態に係る文字ポイントマーキング線を有する貼付材は、少なくとも基材層１、接着材料層２及びポイントマーキング線層３から構成されてなる。基材層１は、透光性又は光透過性を有し、１５ｍｍより小さい幅を有する上、第１の表面１１及び第２の表面１２を有する。接着材料層２も同様に透光性又は光透過性を有する上、２つの表面を有する。２つの表面のうちの１つは、基材層１の第２の表面１２と接触され、ポイントマーキング線層３は、基材層１の第２の表面１２と接着材料層２との間に形成されるとともに、基材層１の頂部又は底部の縁部に近接した箇所に位置し、縁部との間に間隔Ｗ２が保持されている。間隔Ｗ２は７ｍｍより小さい。ポイントマーキング線層３の幅Ｗ１は５ｍｍより小さい。
【００１６】
図３Ａ及び図３Ｂを参照する。図３Ａ及び図３Ｂに示すように、接着材料層２の他方の表面が、文字コンテンツ４１を有するオブジェクト４（書籍、紙など文字が記載されたオブジェクト）の表面に貼付けられ、ポイントマーキング線層３が文字コンテンツ４１に近接した箇所に位置し、接着材料層２がオブジェクト４の表面に接着され、基材層１及び接着材料層２が透光性又は光透過性を備えた材料からなるため、オブジェクト４の表面に貼付けされる。
そのため、文字コンテンツ４１が基材層１により覆われても、基材層１を介して文字コンテンツ４１をはっきりと見ることができ、ポイントマーキング線層３が基材層１の底部又は頂部に位置し、文字コンテンツ４１のポイント線をマーキングするために用いられる。
【００１７】
また、必要に応じて基材層１内に透光性又は光透過性の色剤又は色粉を添加し、基材層１に様々な色彩を付与するとともに、透光性又は光透過性の性質により、覆われた文字コンテンツ４１をはっきりと見ることができる。
【００１８】
図４を参照する。図４に示すように、ポイントマーキング線層３は、基材層１の第２の表面１２と接着材料層２との間に形成される他、他の実施形態では、ポイントマーキング線層３は、基材層１の第１の表面１１上に形成されてもよく、基材層１の頂部又は底部に近接した端部に位置する。
他の実施形態では、文字ポイントマーキング線を有する貼付材をカール状に形成してもよい。また図５に示すように、テープを丸めてロール状に形成し、基材層１が外側へ向けて形成されているため、利用者は容易に取り出して使用することができる。
【００１９】
上述のポイントマーキング線層は、印刷方式により印刷され、基材層１の第１の表面１１又は第２の表面１２と結合される。
【００２０】
図１に示すように、ポイントマーキング線層３により形成される線は実線であるが、これだけに限定される訳ではない。例えば、図６に示すように、基材層１の第２の表面１２と接着材料層２との間に形成されたポイントマーキング線層５により形成される線は波線であり、図７に示すように、基材層１の第２の表面１２と接着材料層２との間に形成されたポイントマーキング線層６により形成される線は鎖線であり、図８に示すように、基材層１の第２の表面１２と接着材料層２との間に形成されたポイントマーキング線層７により形成される線は点線であるが、線の種類は上述した実線、波線、鎖線、点線以外の線でもよい。
【００２１】
接着材料層２は、繰り返して貼付けることが可能な材料からなり、文字ポイントマーキング線を有する貼付材を繰り返して貼合わせ、使用することができる。
【００２２】
図９を参照する。図９に示すように、基材層１の第１の表面１１上には、引き剥がし可能な頂層８（プラスチックフィルム／紙の材料からなる）が結合され、本実施形態の基材層１が離形剤からなるため、基材層１の第１の表面１１から引き剥がし可能な頂層８を引き剥がすことができる。
本発明は２種類の実施形態を含む。図１０に示すように、第１実施形態は、歯車の回転により貼付材から摺動されて出る出力装置９を含む。この出力装置９の底層には、テープ状の貼付材が載置されている。貼付材の頂端に形成された引き剥がし可能な頂層８の一端は、単独で歯車９１と交差されているため、出力装置９がオブジェクト４（書籍）の内ページ上で摺動されると、出力口９２から貼付材が排出され、引き剥がし可能な頂層８の一端が単独で歯車９１と交差され、出力口９２から排出される貼付材の引き剥がし可能な頂層８が駆動されて基材層１から引き剥がされる。オブジェクト４（書籍）の内ページに貼り付けられた貼付材は、引き剥がし可能な頂層８を備えておらず、オブジェクト４の表面に接着材料層２が貼付され、基材層１及び接着材料層２が透光性又は光透過性を備えた材料からなるため、オブジェクト４の表面に貼付けられる。文字コンテンツ４１は、基材層１により覆われたとしても、依然として基材層１を介してはっきりと見ることができ、ポイントマーキング線層３は、基材層１の底部又は頂部に位置し、文字コンテンツ４１のポイント線マーキングとして用いられ、転写される。
【００２３】
上述の実施形態の他には、引き剥がし可能な頂層８を備える貼付材が、図１１に示すように、第２実施形態の貼付材がオブジェクト４の内ページに当接されると、接着材料層２が粘着性を有するため、引き剥がし可能な頂層８を有する貼付材がオブジェクト４の例えば書籍の文字コンテンツ４１に貼付けられ、引き剥がし可能な頂層８によりポイントマーキング線層３が覆われ、利用者が手動で引き剥がし可能な頂層８を基材層１の第１の表面１１から引き剥すと、ポイントマーキング線層３が露出されてポイントマーキングを行うことができる。
【００２４】
本発明の文字ポイントマーキング線を有する貼付材は、従来技術と比べて以下（１）及び（２）の長所を有する。
（１）文字コンテンツを有するオブジェクトの表面に貼付ける際、貼付材は貼付け箇所にポイントマーキングを行うことができる。
（２）貼付方式により文字ポイントマーキング又はラベリングを行い、オブジェクトを清潔に保ってオブジェクトを繰り返して使用することができ、蛍光ペン又はボールペンのマーキングによりオブジェクトが汚れることを防ぐことができる。
【００２５】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２６】
１    基材層
２    接着材料層
３    ポイントマーキング線層
４    オブジェクト
５    ポイントマーキング線層
６    ポイントマーキング線層
７    ポイントマーキング線層
８    引き剥がし可能な頂層
９    出力装置
１１  第１の表面
１２  第２の表面
４１  文字コンテンツ
９１  歯車
９２  出力口
Ｗ１  マーキングライン幅
Ｗ２  間隔
【図１】
0006012779.tif 000002
【図２】
0006012779.tif 000003
【図３Ａ】
0006012779.tif 000004
【図３Ｂ】
0006012779.tif 000005
【図４】
0006012779.tif 000006
【図５】
0006012779.tif 000007
【図６】
0006012779.tif 000008
【図７】
0006012779.tif 000009
【図８】
0006012779.tif 000010
【図９】
0006012779.tif 000011
【図１０】
0006012779.tif 000012
【図１１】
0006012779.tif 000013